(57)【要約】      （修正有）【課題】デバイスを物理的に移動させずに音声ピックアップ方向を変える。【解決手段】オーディオ信号を受信し処理するシステムであって、ハンドヘルドオーディオ処理デバイス１０と、ハンドヘルドオーディオ処理デバイス１０から離れて設けられたオーディオ受信ユニットとを備え、ハンドヘルドオーディオ処理デバイス１０は、ハンドヘルドオーディオ処理デバイス１０に設けられた複数のマイクロホンであって、複数のマイクロホンは表面１８とその表面１８上の少なくとも一対の交差軸２０，２２とを定義し、軸の各々は少なくとも二つのマイクロホンによって定義される、複数のマイクロホンと、複数のマイクロホンによって生成されたオーディオ信号を受信し、オーディオ信号を空間的にフィルタリングするように構成された処理サブシステム１４と、送信器１６とを備える。【選択図】図１
2008017469.tif 000002
【特許請求の範囲】
【請求項１】
オーディオ信号を受信し処理するシステムであって、
ハンドヘルドオーディオ処理デバイスと、
該ハンドヘルドオーディオ処理デバイスから離れて設けられたオーディオ受信ユニットと
を備え、該ハンドヘルドオーディオ処理デバイスは、該ハンドヘルドオーディオ処理デバイスに設けられた複数のマイクロホンであって、該複数のマイクロホンは表面と該表面上の少なくとも一対の交差軸とを定義し、該軸の各々は少なくとも二つのマイクロホンによって定義される、複数のマイクロホンと、
該複数のマイクロホンによって生成されたオーディオ信号を受信し、該オーディオ信号を空間的にフィルタリングするように構成された処理サブシステムと、
該空間的にフィルタリングされたオーディオ信号を送信するように構成された送信器と
を備え、
該オーディオ受信ユニットは、該送信器によって送信された空間的にフィルタリングされたオーディオ信号を受信するように構成されている、システム。
【請求項２】
前記マイクロホンは、全指向性マイクロホンである、請求項１に記載のシステム。
【請求項３】
前記オーディオ受信ユニットは、補聴器である、請求項１に記載のシステム。
【請求項４】
前記送信器は無線送信器であり、前記オーディオ受信ユニットは無線受信器である、請求項３に記載のシステム。
【請求項５】
前記処理サブシステムは、ユーザ選択に基づき複数のマイクロホンのサブセットを選択的に処理するようにさらに構成される、請求項１に記載のシステム。
【請求項６】
前記処理サブシステムは、ユーザ選択に基づき、前記オーディオ信号を空間的にフィルタリングするための複数の最大応答軸の一つを選択するようにさらに構成される、請求項１に記載のシステム。
【請求項７】
各対の交差軸は９０度の角度で交差する、請求項１に記載のシステム。
【請求項８】
オーディオ信号を受信し処理する方法であって、
オーディオ信号をハンドヘルドオーディオ処理デバイスにおいて受信することと、
該オーディオ信号を空間的にフィルタリングして、複数の最大応答軸を生成することと、
ユーザ選択に基づき、該複数の最大応答軸の一つ以上を選択して、一つ以上の選択的に方向付けされたオーディオ信号を生成することと、
該選択的に方向付けされたオーディオ信号を送信することと、
該送信された選択的に方向付けされたオーディオ信号を補聴器において受信することと
を包含する、方法。
【請求項９】
複数のマイクロホンは、全指向性マイクロホンである、請求項８に記載の方法。
【請求項１０】
複数のマイクロホンは、前記ハンドヘルドオーディオ処理デバイスに配列されることにより、表面と該表面上の少なくとも一対の交差軸とを定義し、該軸の各々は少なくとも二つのマイクロホンによって定義される、請求項８に記載の方法。
【請求項１１】
各対の交差軸は９０度の角度で交差する、請求項８に記載の方法。
【請求項１２】
オーディオ信号を受信し処理するシステムであって、
ハンドヘルドオーディオ処理デバイスと、該ハンドヘルドオーディオ処理デバイスから離れて設けられた一対の聴力器具とを備え、
該ハンドヘルドオーディオ処理デバイスは、該ハンドヘルドオーディオ処理デバイスに設けられた複数のマイクロホンであって、該複数のマイクロホンが一致した対のマイクロホンを定義する複数のマイクロホンと、
前記ハンドヘルドオーディオ処理デバイスにおける処理サブシステムであって、該一致した対のマイクロホンからオーディオ信号を受信し、該オーディオ信号からステレオオーディオ信号を生成するように構成された処理サブシステムと、
該ステレオオーディオ信号を送信するように構成された送信器と
を備え、
該一対の聴力器具は、該ハンドヘルドオーディオ処理デバイスから送信されたステレオオーディオ信号を受信するように構成されている、システム。
【請求項１３】
前記一対の聴力器具は、一対の補聴器を備える、請求項１２に記載のシステム。
【請求項１４】
前記複数のマイクロホンは、単一指向性マイクロホンである、請求項１２に記載のシステム。
【請求項１５】
前記一対の聴力器具は、各々該ハンドヘルドオーディオ処理デバイスから送信された一つのチャネルのステレオオーディオ信号を受信するように構成されている、請求項１３に記載のシステム。
【請求項１６】
前記ハンドヘルドオーディオ処理デバイスは、ユーザ入力に基づき、送信されたステレオオーディオ信号におけるチャネルを切り換えるようにさらに構成されている、請求項１５に記載のシステム。
【請求項１７】
オーディオ信号を受信し処理する方法であって、
ハンドヘルドオーディオ処理デバイスに設けられた一致した対のマイクロホンからオーディオ信号を受信することと、
該受信されたオーディオ信号からステレオオーディオ信号を生成することと、
該ステレオオーディオ信号を該ハンドヘルドオーディオ処理デバイスから離れて設けられた一対の聴力器具へ送信することと、
を包含する、方法。
【請求項１８】
前記マイクロホンは、単一指向性マイクロホンである、請求項１７に記載の方法。
【請求項１９】
前記オーディオ受信ユニットは一対の補聴器を備える、請求項１７に記載の方法。
【請求項２０】
前記一対の補聴器は、各々該ハンドヘルドオーディオ処理デバイスから送信された一つのチャネルのステレオオーディオ信号を受信するように構成されている、請求項１９に記載の方法。
【請求項２１】
オーディオ信号を受信し処理するシステムであって、
ハンドヘルドオーディオ処理デバイスに設けられた一致した対のマイクロホンからオーディオ信号を受信する手段と、
該受信されたオーディオ信号からステレオオーディオ信号を生成する手段と、
ステレオオーディオ信号を該ハンドヘルドオーディオ処理デバイスから離れて設けられた一対の聴力器具へ送信する手段と、
を備える、システム。
【請求項２２】
オーディオ信号を受信し処理するシステムであって、
ハンドヘルドオーディオ処理デバイスでオーディオ信号を受信する手段と、
該オーディオ信号を空間的にフィルタリングして、複数の最大応答軸を生成する手段と、
該複数の最大応答軸の一つ以上を選択して、一つ以上の選択的に方向付けされたオーディオ信号を生成する手段と、
選択的に方向付けされたオーディオ信号を送信する手段と、
該送信された選択的に方向付けされたオーディオ信号を受信する手段と、
を備える、システム。
【発明の詳細な説明】
【背景技術】
【０００１】
聴覚障害を持つ人は、周りの声および音をより良く聞くために、しばしば補聴器を着用する。一部の補聴器システムは、周りの環境から受けたオーディオ信号を処理し、処理されたオーディオ信号をユーザが着用する補聴器へ送信するハンドヘルド無線送信器を含む。これらのハンドヘルドデバイスは、典型的には、指向性の音声ピックアップのために線配列に配列された、いくつかのマイクロホンを含む。ハンドヘルドデバイスは、典型的には、モノラル音声のピックアップのみ可能であり、主たる音声ピックアップ方向は、デバイスを物理的に移動させずに変えることはできない。
【発明の開示】
【課題を解決するための手段】
【０００２】
（概要）
一実施形態において、オーディオ信号を受信し処理するための新しいシステムは、ハンドヘルドオーディオ処理デバイスとオーディオ受信ユニットを備える。ハンドヘルドオーディオ処理デバイスは、表面と表面上の少なくとも一対の交差軸とを定義するいくつかのマイクロホンを含む。軸の各々は、少なくとも二つのマイクロホンによって定義される。ハンドヘルドオーディオ処理ユニットは、処理サブシステムおよび送信器を含む。処理サブシステムは、マイクロホンによって生成されたオーディオ信号を受信し、オーディオ信号を空間的にフィルタリングするように構成されている。送信器は、空間的にフィルタリングされたオーディオ信号を送信するように構成されている。オーディオ受信ユニットは、ハンドヘルドオーディオ処理デバイスから離れて設けられている。オーディオ受信ユニットは、送信器によって送信される空間的にフィルタリングされたオーディオ信号を受信するように構成される。
【０００３】
別の実施形態において、オーディオ信号を受信し、処理するための新しいシステムは、ハンドヘルドオーディオ処理デバイスと一対の聴力器具（ｈｅａｒｉｎｇ  ｉｎｓｔｒｕｍｅｎｔ）を備える。ハンドヘルドオーディオ処理デバイスは、マイクロホン、処理サブシステムおよび送信器を含む。マイクロホンは、ハンドヘルドオーディオ処理デバイスに設けられ、一致した対のマイクロホンを定義する。処理サブシステムは、オーディオ信号をマイクロホンから受信し、オーディオ信号からステレオオーディオ信号を生成するように構成される。送信器は、ステレオオーディオ信号を送信するように構成される。一対の聴力器具は、ハンドヘルドオーディオ処理デバイスから離れて設けられ、ハンドヘルドオーディオ処理デバイスから送信されたステレオオーディオ信号を受信するように構成されている。
【０００４】
本発明は、さらに以下の手段を提供する。
（項目１）
オーディオ信号を受信し処理するシステムであって、
ハンドヘルドオーディオ処理デバイスと、
該ハンドヘルドオーディオ処理デバイスから離れて設けられたオーディオ受信ユニットと
を備え、該ハンドヘルドオーディオ処理デバイスは、該ハンドヘルドオーディオ処理デバイスに設けられた複数のマイクロホンであって、該複数のマイクロホンは表面と該表面上の少なくとも一対の交差軸とを定義し、該軸の各々は少なくとも二つのマイクロホンによって定義される、複数のマイクロホンと、
該複数のマイクロホンによって生成されたオーディオ信号を受信し、該オーディオ信号を空間的にフィルタリングするように構成された処理サブシステムと、
該空間的にフィルタリングされたオーディオ信号を送信するように構成された送信器と
を備え、
該オーディオ受信ユニットは、該送信器によって送信された空間的にフィルタリングされたオーディオ信号を受信するように構成されている、システム。
（項目２）
前記マイクロホンは、全指向性マイクロホンである、項目１に記載のシステム。
（項目３）
前記オーディオ受信ユニットは、補聴器である、項目１に記載のシステム。
（項目４）
前記送信器は無線送信器であり、前記オーディオ受信ユニットは無線受信器である、項目３に記載のシステム。
（項目５）
前記処理サブシステムは、ユーザ選択に基づき複数のマイクロホンのサブセットを選択的に処理するようにさらに構成される、項目１に記載のシステム。
（項目６）
前記処理サブシステムは、ユーザ選択に基づき、前記オーディオ信号を空間的にフィルタリングするための複数の最大応答軸の一つを選択するようにさらに構成される、項目１に記載のシステム。
（項目７）
各対の交差軸は９０度の角度で交差する、項目１に記載のシステム。
（項目８）
オーディオ信号を受信し処理する方法であって、
オーディオ信号をハンドヘルドオーディオ処理デバイスにおいて受信することと、
該オーディオ信号を空間的にフィルタリングして、複数の最大応答軸を生成することと、
ユーザ選択に基づき、該複数の最大応答軸の一つ以上を選択して、一つ以上の選択的に方向付けされたオーディオ信号を生成することと、
該選択的に方向付けされたオーディオ信号を送信することと、
該送信された選択的に方向付けされたオーディオ信号を補聴器において受信することと
を包含する、方法。
（項目９）
複数のマイクロホンは、全指向性マイクロホンである、項目８に記載の方法。
（項目１０）
複数のマイクロホンは、前記ハンドヘルドオーディオ処理デバイスに配列されることにより、表面と該表面上の少なくとも一対の交差軸とを定義し、該軸の各々は少なくとも二つのマイクロホンによって定義される、項目８に記載の方法。
（項目１１）
各対の交差軸は９０度の角度で交差する、項目８に記載の方法。
（項目１２）
オーディオ信号を受信し処理するシステムであって、
ハンドヘルドオーディオ処理デバイスと、該ハンドヘルドオーディオ処理デバイスから離れて設けられた一対の聴力器具とを備え、
該ハンドヘルドオーディオ処理デバイスは、該ハンドヘルドオーディオ処理デバイスに設けられた複数のマイクロホンであって、該複数のマイクロホンが一致した対のマイクロホンを定義する複数のマイクロホンと、
前記ハンドヘルドオーディオ処理デバイスにおける処理サブシステムであって、該一致した対のマイクロホンからオーディオ信号を受信し、該オーディオ信号からステレオオーディオ信号を生成するように構成された処理サブシステムと、
該ステレオオーディオ信号を送信するように構成された送信器と
を備え、
該一対の聴力器具は、該ハンドヘルドオーディオ処理デバイスから送信されたステレオオーディオ信号を受信するように構成されている、システム。
（項目１３）
前記一対の聴力器具は、一対の補聴器を備える、項目１２に記載のシステム。
（項目１４）
前記複数のマイクロホンは、単一指向性マイクロホンである、項目１２に記載のシステム。
（項目１５）
前記一対の聴力器具は、各々該ハンドヘルドオーディオ処理デバイスから送信された一つのチャネルのステレオオーディオ信号を受信するように構成されている、項目１３に記載のシステム。
（項目１６）
前記ハンドヘルドオーディオ処理デバイスは、ユーザ入力に基づき、送信されたステレオオーディオ信号におけるチャネルを切り換えるようにさらに構成されている、項目１５に記載のシステム。
（項目１７）
オーディオ信号を受信し処理する方法であって、
ハンドヘルドオーディオ処理デバイスに設けられた一致した対のマイクロホンからオーディオ信号を受信することと、
該受信されたオーディオ信号からステレオオーディオ信号を生成することと、
該ステレオオーディオ信号を該ハンドヘルドオーディオ処理デバイスから離れて設けられた一対の聴力器具へ送信することと、
を包含する、方法。
（項目１８）
前記マイクロホンは、単一指向性マイクロホンである、項目１７に記載の方法。
（項目１９）
前記オーディオ受信ユニットは一対の補聴器を備える、項目１７に記載の方法。
（項目２０）
前記一対の補聴器は、各々該ハンドヘルドオーディオ処理デバイスから送信された一つのチャネルのステレオオーディオ信号を受信するように構成されている、項目１９に記載の方法。
（項目２１）
オーディオ信号を受信し処理するシステムであって、
ハンドヘルドオーディオ処理デバイスに設けられた一致した対のマイクロホンからオーディオ信号を受信する手段と、
該受信されたオーディオ信号からステレオオーディオ信号を生成する手段と、
ステレオオーディオ信号を該ハンドヘルドオーディオ処理デバイスから離れて設けられた一対の聴力器具へ送信する手段と、
を備える、システム。
（項目２２）
オーディオ信号を受信し処理するシステムであって、
ハンドヘルドオーディオ処理デバイスでオーディオ信号を受信する手段と、
該オーディオ信号を空間的にフィルタリングして、複数の最大応答軸を生成する手段と、
該複数の最大応答軸の一つ以上を選択して、一つ以上の選択的に方向付けされたオーディオ信号を生成する手段と、
選択的に方向付けされたオーディオ信号を送信する手段と、
該送信された選択的に方向付けされたオーディオ信号を受信する手段と、
を備える、システム。
【０００５】
（摘要）
オーディオ信号を受信し処理するシステムは、ハンドヘルドオーディオ処理デバイスとオーディオ受信ユニットとを含む。ハンドヘルドオーディオ処理デバイスは、該ハンドヘルドオーディオ処理デバイスに設けられた複数のマイクロホンを有し、該複数のマイクロホンは、表面と、その表面上の少なくとも一対の交差軸とを定義し、該表面では、該軸の各々が少なくとも２つのマイクロホンによって定義される。ハンドヘルドオーディオ処理デバイスはまた、複数のマイクロホンによって生成されるオーディオ信号を受信し、該オーディオ信号を空間的にフィルタリングするように構成された処理サブシステムと、空間的にフィルタリングされたオーディオ信号を送信するように構成される送信器とを有する。オーディオ受信ユニットは、ハンドヘルドオーディオ処理デバイスから離れて設けられ、該受信器によって送信された空間的にフィルタリングされたオーディオ信号を受信するように構成される。
【発明を実施するための最良の形態】
【０００６】
図面に示された部品は、特許請求の範囲に列挙された構造要素の例を含む。従って、例示された部品は、当業者が特許請求された発明を作製し使用し得る方法の例を含む。それらは、本明細書に、特許請求の範囲に列挙されていない制限を課することなく、使用可能性および最良の方法を提供するために記述される。
【０００７】
図１は、ハンドヘルドオーディオ処理デバイス１０のブロック図である。ハンドヘルドオーディオ処理デバイス１０は、複数のマイクロホン１２、処理サブシステム１４、および送信器１６を備える。ハンドヘルドオーディオ処理デバイス１０は、マイクロホン１２によって受信され処理される音声の近くにいる人によって保持されるように設計される。
【０００８】
複数のマイクロホン１２は、少なくとも二対のマイクロホン１２がハンドヘルドオーディオ処理デバイス１０の表面１８上での交差軸２０および２２を定義するように表面１８上に配置される。交差軸２０および２２は、図１に示されるように９０度の角度で交差し得る。複数のマイクロホン１２は、全指向性マイクロホンである得るが、単一指向性マイクロホンもまた使用され得る。
【０００９】
ハンドヘルドオーディオ処理デバイス１０は、処理サブシステム１４を含む。処理サブシステム１４は、複数のマイクロホン１２から生成されるオーディオ信号を受信し、オーディオ信号を空間的にフィルタリングするように構成される。処理サブシステム１４は、処理サブシステム１４における処理構成かまたはユーザ入力１１を介して受信されるユーザ選択のいずれかに基づき、サブセットの複数のマイクロホン１２からのオーディオ信号を空間的にフィルタリングするように構成され得る。
【００１０】
送信器１６は、処理サブシステム１４によって、空間的にフィルタリングされたオーディオ信号を送信するように構成される。送信器１６は、信号をオーディオ受信ユニット２４に送信し得、それは図２において論議される。
【００１１】
図２は、オーディオ受信ユニット２４のブロック図である。オーディオ受信ユニット２４は、補聴器であり得る。オーディオ受信ユニットは、イアピース２６、受信器２８、処理サブシステム３０、およびスピーカ３２を備える。イアピース２６は、耳内にフィットする、または代わりに、耳に置かれるように設計され得る。一実施形態において、システムは、二つのオーディオ受信ユニット２４を含み得、その各々は異なる耳に着用される。
【００１２】
受信器２８および処理サブシステム３０は、ハンドヘルドオーディオ送信器１６によって送信された空間的にフィルタリングされたオーディオ信号を受信し、処理するように設計される。空間的にフィルタリングされたオーディオ信号は、受信器２８によって受信され、その後、スピーカ３２を駆動する電気信号を生成するように、処理サブシステム３０によって処理される。スピーカ３２は、今度は、オーディオ受信ユニット２４を着用するユーザによって聞かれる音響信号を生成する。
【００１３】
図３は、オーディオ信号を空間的にフィルタリングするための一つの音声ピックアップ戦略を容易にするためのマイクロホン選択３４の図である。この実施形態において、一つのマイクロホン４０は、起動するように構成され、その他の三つのマイクロホン３６、３８および４２は、起動されない。起動されたマイクロホン４０は、全指向性音声を１方向でピックアップし、処理サブシステムは、オーディオ受信ユニットに送信されるモノラルオーディオ信号を生成する。あるいは、全指向性音声ピックアップ戦略は、二つ以上のマイクロホンを起動し、起動されたマイクロホンからの信号を総計することによってインプリメントされ得る。
【００１４】
図４は、オーディオ信号を空間的にフィルタリングするための別の音声ピックアップ戦略を容易にするためのマイクロホン選択４４の別の図である。この選択４４は、モノラルの一次方向音声ピックアップパターン（ビーム）を生成するために使用され得る。この例において、マイクロホン４８および５０は起動するように構成され、かつ、マイクロホン４６および５２は起動しない。この一次音声ピックアップパターンは、マイクロホン４８を前部マイクロホンとして、およびマイクロホン５０を後部マイクロホンとして構成することによってインプリメントされる。後部マイクロホン５０からのオプションの遅延信号は、前部マイクロホン４８からの信号から減算されて、主ビームが線５４に沿って向かうオーディオ信号を生成する。配置における様々な一致した一対のマイクロホンは、方向５４以外の方向に向かう信号を生成するために使用され得ることは理解されるべきである。
【００１５】
図５は、配列した四つのマイクロホンのうちの三つを使用する音声ピックアップ戦略の図である。マイクロホン５８、６０および６２は、起動され、マイクロホン６４は起動されない。このシナリオにおけるマイクロホンは、二つのモノラル音声ピックアップ方向６６および６８を生成するために使用され得る。方向６６および６８に沿ってピックアップされた音声は、両方の耳（ａｌｔｅｒｎａｔｅ  ｅａｒｓ）に着用されるオーディオ受信ユニットに送信され得、ステレオ再生を作り出す。方向６６に音声ピックアップを生成するために、マイクロホン５８は前部マイクロホンであり、マイクロホン６０は後部マイクロホンである。後部マイクロホン６０を前部マイクロホン５８から減算することは、ｙ軸の右４５度に向いたピックアップビーム６６を生成する。このオーディオ信号は、聴者の右耳に設けられたオーディオ受信ユニットに送信され得る。
【００１６】
方向６８の左耳音声信号は、同様に生成される。方向６８に沿って向けられた左信号を生成するために、マイクロホン６２は、前部マイクロホンであり、マイクロホン６０は後部マイクロホンである。後部マイクロホン６０からの信号は、前部マイクロホン６２からの信号から減算される。その結果は、ｙ軸６８の左４５度に向いたピックアップビームであり、該ピックアップビームは、聴者の左耳に設けられたオーディオ受信ユニットに送信され得る。これらの信号を左および右のオーディオ受信ユニットへ送信することは、聴者のためにステレオ音声を生じることとなる。方向６８および６６以外の方向の信号は、起動されるマイクロホン５８、６０、６２および６４の異なる組合せを使用して同様に生成され得る。
【００１７】
図６は、音声ピックアップ戦略７０の図であり、ここで、配列された四つのすべてのマイクロホン７２，７４，７６および７８が、方向８０および８２に沿ったステレオ音声信号を作り出すために使用される。方向８２に沿ったオーディオ信号は、マイクロホンの一致した対７８および７６を使用することによって、またはマイクロホンの一致した対７２および７４を使用することによって、生成され得る。四つのマイクロホンすべてを起動することは、方向８２の二つの独立した指向性信号を生成し得る。これら二つの独立した指向性信号を平均することは、マイクロホンシステムに存在する全ノイズを減少し得る。一実施形態において、信号の平均化は、方向ピックアップパターンをインプリメントするために必要な時間遅延および減算の前に、実行される。同様な処理は、方向８０のオーディオ信号を生成するために実行され得る。方向８０の信号は、マイクロホンの一致した対７２および７８またはマイクロホンの一致した対７４および７６のいずれかを使用することによってインプリメントされ得る。信号は、個々のマイクロホン信号の処理における変化によって方向８０および８２以外の方向に生成され得ることは注意すべきである。
【００１８】
図７は、図６の音声ピックアップ戦略をインプリメントするために使用され得る一例のマイクロホン−信号平均化回路８４のブロック図である。本明細書において使用される術語「エレメント」は、ソフトウェア、ハードウェア、またはソフトウェアとハードウェアの組合せを言う。左ステレオ信号８６を生成するために、マイクロホン７２から生成された信号は、加算エレメント８８においてマイクロホン７４からの信号に加算される。マイクロホン７６およびマイクロホン７８からの信号は、加算エレメント９０において加算される。加算エレメント９０からの信号は、時間遅延エレメント９２を通過し、差エレメント９４において加算エレメント８８からの信号から減算される。
【００１９】
右ステレオ信号９６は同様に生成される。マイクロホン７２からの信号およびマイクロホン７８からの信号は、加算エレメント９８において加算される。マイクロホン７４からの信号およびマイクロホン７６からの信号は、加算エレメント１００において加算される。加算エレメント１００からの信号は、次いで、時間遅延エレメント１０２において遅延される。時間遅延エレメント１０２からの信号は、差エレメント１０４において加算エレメント９８からの信号から減算され、右ステレオ信号９６を生成する。
【００２０】
図８は、マイクロホン配列を使用してインプリメントされ得る別の音声ピックアップ戦略のブロック図である。ブロック図１０６は、ビーム方向付け（ｂｅａｍ  ｓｔｅｅｒｉｎｇ）のための利得最適化多数マイクロホンアレイに配列された四つのマイクロホンを示す。利得最適化アレイは、二つ以上のマイクロホンの任意の組合せを使用してインプリメントされ得る。フィルタエレメント１０８、１１０、１１２および１１４は、四つのマイクロホンの各々によって生成される信号をフィルタリングするように構成される。フィルタ１０８、１１０、１１２および１１４からの信号の各々は、次いで、加算エレメント１１６，１１８および１２０において加算される。加算エレメント１１６の出力は、ビーム方向付けされたオーディオ信号１２２である。
【００２１】
図９は、オーディオ信号１２４を受信し、処理する一例の方法の流れ図である。処理は、ステップ１２６で開始し、ここで、オーディオ信号は、ハンドヘルドオーディオ処理デバイスの表面にある複数のマイクロホンを介してハンドヘルドオーディオ処理デバイスによって受信される。ステップ１２８において、オーディオ信号は、空間的にフィルタリングされて、複数の最大応答軸を生成する。最大応答軸は、ハンドヘルドオーディオ処理デバイス上のマイクロホン配列に存在する複数のマイクロホンからの信号を空間的にフィルタリングすることによって生成される。
【００２２】
ステップ１３０において、ステップ１２８において生成された一つ以上の複数の最大応答軸の一つ以上が選択される。選択された最大応答軸から一つ以上の選択的に方向付けされたオーディオ信号が生成される。ユーザ選択がなされない場合、選択は、デフォルト選択およびマイクロホンの位置に基づき得る。あるいは、選択は、ユーザによってなされ得る。ステップ１３２において、オーディオ信号は送信される。
【００２３】
最後にステップ１３４において、オーディオ受信ユニットは、ハンドヘルドオーディオ処理デバイスによって送信された選択的に方向付けされたオーディオ信号を受信する。オーディオ受信ユニットは、聴者の耳に埋め込まれた補聴器であり得る。
【００２４】
図１０は、オーディオ信号１３６を受信し処理する方法の一例を示す流れ図である。ステップ１３８において、オーディオ信号は、ハンドヘルドオーディオ処理デバイスに設けられた一致した対のマイクロホンから受信される。ステップ１４０において、ハンドヘルドオーディオ処理デバイスは、ステップ１３８において一致した対のマイクロホンから受信されたオーディオ信号からステレオオーディオ信号を生成する。ステップ１４２において、ステップ１４０において生成されたステレオオーディオ信号は、ハンドヘルドオーディオ処理ユニットから離れて設けられた一対の聴力器具に送信される。
【００２５】
この文書の説明は、本発明を実行する最良の方法を述べ、特許請求の範囲に列挙された構造エレメントの例を提示することによって当業者が本発明をなし使用することを可能にするように本発明を記述する。本発明の特許可能な範囲は、特許請求の範囲によって定義され、当業者が思いつくほかの例を含み得る。本出願日の前または後のいずれかに使用可能であり得るそのような他の例は、それらが特許請求の範囲の文字の言葉とは異ならない構造エレメントを有する場合、または、それらが特許請求の範囲の文字の言葉とは実質的に相違しない同等の構造エレメントを有する場合、特許請求の範囲内にあると意図される。
【図面の簡単な説明】
【００２６】
【図１】図１は、ハンドヘルドオーディオ処理デバイスのブロック図である。
【図２】図２は、オーディオ受信ユニットのブロック図である。
【図３】図３は、オーディオ信号を空間的にフィルタリングするための音声ピックアップ戦略を容易にするためのマイクロホン選択の図である。
【図４】図４は、空間的にフィルタリングするオーディオ信号のための音声ピックアップ戦略を容易にするためのマイクロホン選択の図である。
【図５】図５は、空間的にフィルタリングするオーディオ信号のための音声ピックアップ戦略を容易にするためのマイクロホン選択の図である。
【図６】図６は、空間的にフィルタリングするオーディオ信号のための音声ピックアップ戦略を容易にするためのマイクロホン選択の図である。
【図７】図７は、マイクロホン信号平均化回路のブロック図である。
【図８】図８は、マイクロホン配列を使用してインプリメントされ得る音声ピックアップ戦略のブロック図である。
【図９】図９は、オーディオ信号を受信し処理する一例の方法の流れ図である。
【図１０】図１０は、オーディオ信号を受信し処理する一例の方法の流れ図である。
【符号の説明】
【００２７】
１０  ハンドヘルドオーディオ処理デバイス
１１  ユーザ入力
１２  マイクロホン
１４  処理サブシステム
１６  送信器
１８  表面
２０、２２  交差軸
２４  オーディオ受信ユニット
２６  イアピース
２８  受信器
３０  処理サブシステム
３２  スピーカ
【図１】
2008017469.tif 000003
【図２】
2008017469.tif 000004
【図３】
2008017469.tif 000005
【図４】
2008017469.tif 000006
【図５】
2008017469.tif 000007
【図６】
2008017469.tif 000008
【図７】
2008017469.tif 000009
【図８】
2008017469.tif 000010
【図９】
2008017469.tif 000011
【図１０】
2008017469.tif 000012